(57)【要約】【課題】簡易な方法で自分撮り時に映りを確認することができる携帯電子機器を提供することすることである。【解決手段】携帯電話機１は、第２筐体３と、撮影部１５と、撮影部１５のレンズ部１０の近傍に配設された表示部１４と、を有し、表示部１４は、該表示部１４の前面に光を反射する材料を蒸着により層状に形成した蒸着ミラーを有し、前記蒸着ミラーは、表示部の画面に表示される表示光の一部を透過可能に形成されている。【選択図】図６
2010154370.tif 000002
【特許請求の範囲】
【請求項１】
筐体と、
撮影部と、
前記撮影部のレンズ部の近傍に配設された表示部と、を有し、
前記表示部は、該表示部の前面に光を反射する材料を蒸着により層状に形成した蒸着ミラーを有し、
前記蒸着ミラーは、前記表示部の画面に表示される表示光の一部を透過可能に形成されている
携帯電子機器。
【請求項２】
前記表示部の表示を制御する制御部を有し、
前記制御部は、撮影時に前記表示部の画面に所定の表示を行う
請求項１に記載の携帯電子機器。
【請求項３】
前記所定の表示とは、前記蒸着ミラーに映った被写体の体の部位を示す表示である
請求項２に記載の携帯電子機器。
【請求項４】
前記被写体の体の部位とは、前記蒸着ミラーに映った被写体の目の位置を示す表示である
請求項３に記載の携帯電子機器。
【請求項５】
前記被写体の体の部位とは、前記蒸着ミラーに映った被写体の鼻の位置を示す表示である
請求項３に記載の携帯電子機器。
【請求項６】
前記所定の表示とは、撮影タイミングを示す表示である
請求項２に記載の携帯電子機器。
【発明の詳細な説明】
【技術分野】
【０００１】
本発明は携帯電話機、ＰＨＳ、ＰＤＡ、携帯型ゲーム機、携帯用テレビ、携帯用ラジオ等の携帯電子機器に関する。
【背景技術】
【０００２】
携帯電話機１がカメラ機能を有している時には、キーを操作する部分及び液晶画面（以下、「メイン画面」という。）部とは反対側にカメラが配置されていて、カメラに映っている撮影する画像をメイン画面によって確認しつつ撮影が可能となっている。
しかし、一人で自分自身の姿を撮影する（以下、「自分撮り」という。）時には、キーを操作する部分及びメイン画面とは反対側にカメラが配置されているので、メイン画面を用いて自身の姿を確認することはできない。
そこで、メイン画面側にも別にカメラを設置するもの（特許文献１）や、カメラの固定方法に２軸ヒンジ機構を採用してメイン画面側にもカメラを向けることを可能するもの（特許文献２）が知られている。さらに、カメラ側にも液晶画面（以下、「サブ画面」という。）を配置して、この画面に撮影する画面を表示させるものが知られている。
【特許文献１】特開２００８―２９４５１７号公報
【特許文献２】特開２００５−１５９７４１号公報
【発明の開示】
【発明が解決しようとする課題】
【０００３】
しかしながら、メイン画面側にも別にカメラを設置する場合には２台のカメラを配置することになるので部品点数の増大、コストの増大を招いてしまう。また、２点ヒンジ機構を採用した場合にも同様に部品点数の増大、コストの増大を招いてしまう。
一方で、カメラ側にもサブ画面を配置した場合には、カメラ側にもユーザにメールの着信や時刻の表示等をするためにサブ画面が必要であるから、これによる新たな部品点数の増大やコストの増大は生じない。
もっとも、サブ画面は通常メイン画面に比してかなり小さいものであるから、この画面に撮影画面が表示されても、どのように写るのか十分に分からないという欠点があった。
【０００４】
本発明の目的は、簡易な方法で自分撮り時に写りを確認することができる携帯電子機器を提供することである。
【課題を解決するための手段】
【０００５】
本発明の携帯電子機器は、筐体と、撮影部と、前記撮影部のレンズ部の近傍に配設された表示部と、を有し、前記表示部は、該表示部の前面に光を反射する材料を蒸着により層状に形成した蒸着ミラーを有し、前記蒸着ミラーは、前記表示部の画面に表示される表示光の一部を透過可能に形成されている
【０００６】
好適には、前記表示部の表示を制御する制御部を有し、前記制御部は、撮影時に前記表示部の画面に所定の表示を行う。
【０００７】
好適には、前記所定の表示とは、前記蒸着ミラーに映った被写体の体の部位を示す表示である。
【０００８】
好適には、前記被写体の体の部位とは、前記蒸着ミラーに映った被写体の目の位置を示す表示である。
【０００９】
好適には、前記被写体の体の部位とは、前記蒸着ミラーに映った被写体の鼻の位置を示す表示である。
【００１０】
好適には、前記所定の表示とは、撮影タイミングを示す表示である。
【発明の効果】
【００１１】
本発明によれば、簡易な方法で自分撮り時に写りを確認することができる携帯電子機器を提供することができる。
【発明を実施するための最良の形態】
【００１２】
図１は、本発明の実施形態に係る携帯電話機１の外観を開状態で示す斜視図である。
【００１３】
携帯電話機１は、いわゆる折り畳み式の携帯電話機１として構成されており、開状態と閉状態との間で互いに回動可能に連結された第１筐体２及び第２筐体３を有している。図１は、第１筐体２及び第２筐体３の開状態を示している。第１筐体２は、第２筐体３と対向する部分を構成する第１筐体フロントケース４と、第２筐体３とは反対側部分を構成する第１筐体リアケース５とを有している。第２筐体３は、第１筐体２と対向する部分を構成する第２筐体フロントケース６と、第１筐体２とは反対側部分を構成する第２筐体リアケース７とを有している。
また、第１筐体フロントケース４にはメインディスプレイ８（メイン画面に相当する。）が配置されている。
【００１４】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１５】
なお、方向を示すときは、第１筐体リアケース５から第１筐体フロントケース４に向かう方向を内部側方向といい、第１筐体フロントケース４から第１筐体リアケース５に向かう方向を外部側方向という。
同様に第２筐体リアケース７から第２筐体フロントケース６に向かう方向を内部側方向といい、第２筐体フロントケース６から第２筐体リアケース７に向かう方向を外部側方向という。
【００１６】
図２は、携帯電話機１を開状態外部側方向からみた外観斜視図である。
【００１７】
第２筐体リアケース７には、外部側方向を向いたカメラウインドウ９が第１筐体２との接合部側に配置されている。
また、第２筐体リアケース７には、外部側方向に開口する電池部保護パネル１２も第１筐体２との接合部とは反対側に配置されている。
そして、カメラウインドウ９と電池部保護パネル１２との間にはサブディスプレイ１１（サブ画面に相当する。）が配置されている。サブディスプレイ１１は例えば液晶パネル、有機ＥＬパネル（以下、「液晶パネル等」という。）によって表示される。
【００１８】
カメラウインドウ９内部にはレンズ部１０が配置されている。このレンズ部１０を通して対象物が撮影される。
自分撮り以外の場合には、レンズ１０を通して撮影された画像が、液晶パネル等によって、メインディスプレイ８に表示され、ユーザはこれを確認しつつ撮影を行う。
一方、自分撮り時にはレンズ部１０を通して撮影された画像が、液晶パネル等によってサブディスプレイ１１に表示され、これを確認しつつ撮影を行う。
【００１９】
また、サブディスプレイ１１に銀等の反射する材料を蒸着して蒸着ミラーを形成している。このサブディスプレイ１１は、その透過率を例えば３０パーセントとしており、サブディスプレイ１１の画面に表示される表示光を透過させている。
これによって、ユーザは、サブディスプレイ１１に液晶パネル等に表示される各種情報を確認できると同時に、サブディスプレイ１１の蒸着ミラーの鏡機能によって反射される情報も同時に確認することができる。
なお、蒸着にはさまざまな方法があるが、一般的には、真空中において蒸着材料を加熱し気化させて、被蒸着物の表面に付着する。そして、これによって薄膜を形成するというものである。この時の蒸着材料としては、クロム、アルミニウム、銀、金、ニッケル、銅、プラチナ、酸化クロム、酸化アルミニウム等がある。
【００２０】
サブディスプレイ１１の表面に蒸着ミラーを形成することの利点、つまり、蒸着処理を施すことによって鏡機能をも有させることの利点について以下説明する。
自分撮り時には、ユーザはサブディスプレイ１１の液晶パネル等の表示によって撮影の全体の内容は認識できるが、サブディスプレイ１１はその大きさが小さく解像度も高くはないので、どのような表情になっているのか等を明確に認識することはできない。
しかし、サブディスプレイ１１の表面に蒸着処理を施したことによって鏡機能を有させた場合には、この蒸着ミラーによる映像は、サブディスプレイ１１の液晶パネル等によって映し出される映像よりも、かなり大きく映し出されることになる。なぜなら、サブディスプレイ１１の液晶パネル等に表示されるのは撮影の全体像であり、縮小されてしまっているからである。
サブディスプレイ１１の蒸着ミラーによる映像によって、ユーザは自身の表情などを認識しつつ、液晶パネル等によって表示される内容も同時に認識できるのであるから、より確実に自分撮りを行うことができ、有利である。
【００２１】
サブディスプレイ１１に表示される内容を認識しつつ蒸着ミラーによって反射された内容を認識できれば足りるのであるから、前述の蒸着処理によって鏡機能を有させるのは、サブディスプレイ１１に限定されるものではない。具体的には、カメラウインドウ９であってもよいし、場合によっては第２筐体リアケース７全体であってもよい。
【００２２】
図３は図１及び図２の携帯電話機１の信号処理系を示すブロック図である。
【００２３】
図３に示されるように、携帯電話機１は、制御・処理の中枢である制御部１７と、電源制御部２１と、通信部２０と、操作部１９と、音声入出力部２２と、表示部１４と、撮影部１５と、記憶部１６のそれぞれが、アドレス、データ、コントロールのためのラインが複数本からなるシステムバス１８に共通に接続され、構成される。
【００２４】
通信部２０は、無線通信システムを捕捉し、通信ネットワークに接続される基地局との間で無線通信を行い、各種データの送受信を行う。各種データとは、Ｗｅｂ上のサイトのからダウンロードされるファイルのデータ、音声通話時の音声データ、メール送受信時のメールデータ、ウェブ閲覧時のウェブページデータ、等である。
【００２５】
操作部１９は、例えば、電源キー、通話キー、数字キー、文字キー、方向キー、決定キー、発信キー、ファンクションキーなど、各種の機能が割り当てられたキーを有しており、これらのキーがユーザによって操作された場合に、その操作内容に対応する信号を発生し、これをユーザの指示として制御部１７に出力する。
カメラ撮影においては、シャッター、拡大倍率の調整、明るさの調整等の操作を特に行う部分となる。動画撮影時においては、撮影の開始、終了も操作部１９を用いて行われる。
なお、これらの操作は必ずしも、図１の第２筐体フロントケース６の内部側を向いて配置される各種キーのみによって行われる必要はなく、その他の部分に配置された操作部材によってなされてもよい。
【００２６】
音声入出力部２２は、スピーカから出力される音声信号やマイクロフォンにおいて入力される音声信号の入出力処理を行う。
すなわち、音声入出力部２２は、マイクロフォンから入力された音声を増幅し、アナログ／デジタル変換を行い、更に符号化等の信号処理を施し、デジタルの音声データに変換して制御部１７に出力する。
また、音声入出力部２２は、制御部１７から供給される音声データに復号化、デジタル／アナログ変換、増幅等の信号処理を施し、アナログの音声信号に変換してスピーカに出力する。
カメラ撮影においては、シャッター音の発生などを行う。動画撮影している場合には、周囲の音もこの音声入出力部２２によって録音される。
【００２７】
表示部１４は、例えばＬＣＤやＯＬＥＤ（Organic light-emitting diode（有機ＥＬ））を用いて構成されており、制御部１７から供給される映像信号に応じた画像を表示する。
表示部１４は、例えば、通信部２０による無線発信時における発信先の電話番号、着信時における発信元の電話番号、受信メールや送信メールの内容、日付、時刻、電池残量、発信成否、待ち受け画面等を表示する。
表示部１４はメインディスプレイ８とサブディスプレイ１１の両方を制御している。
カメラの撮影時には、メインディスプレイ８又はサブディスプレイ１１に撮影する対象を表示する。それに加えて、メインディスプレイ８又はサブディスプレイ１１は、明るさ、倍率等を操作部１９によって操作できるように、そのための各種の情報が表示される。
特に、自分撮り時においては、表示部１４は撮影部１５によって撮影された画像を表示している。
【００２８】
撮影部１５は、レンズ部１０及び光電変換素子と、これらを制御する制御回路等から構成される。
光電気変換素子は、ＣＣＤ（Charge Coupled Device）やＣＭＯＳ（Complementary Metal Oxide Semiconductor）イメージセンサ等からなる。
レンズ部１０は、制御回路によって制御されるオートフォーカス機構によってそのピントが調節される。
【００２９】
記憶部１６では、携帯電話機１の各種処理に利用される各種データを記憶する。記憶部１６は、例えば制御部１７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
【００３０】
なお、記憶部１６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３１】
制御部１７は、携帯電話機１の全体的な動作を統括的に制御する。
すなわち、制御部１７は、携帯電話機１各種処理（回線交換網を介して行われる音声通話、電子メールの作成と送受信、インターネットのＷｅｂ上のサイトの閲覧など）が操作部１９の操作に応じて適切な手順で実行されるように、上述した各ブロックの動作（通信部２０における信号の送受信、表示部１４における画像の表示、撮影部１５における撮像処理等）を制御する。
撮影部１５における撮影の処理とは、具体的には、レンズ部１０を通って入ってきた光は、光電変換素子によって電気情報に変換され、制御部１７に送られる。それを受けた制御部１７は、画像の色調、明るさ補正、手ぶれ補正などの各種処理を行って、表示部１４に表示させる。又は、制御部１７は記憶部１６に記憶させる。
【００３２】
さらに、制御部１７は、記憶部１６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１７は、記憶部１６に格納されるオペレーティングシステムやアプリケーションプログラム等のプログラムから命令コードを順次受け取って処理を実行する。
【００３３】
図４はサブディスプレイ１１に表示する内容の一例である。
【００３４】
サブディスプレイ１１には、撮影部１５が撮影した内容を液晶パネル等に表示することに加えて、図４（ａ）に示すように、撮影のタイミングを示すこともできるし、図４（ｂ）に示すように、一定のメッセージを表示することもできる。
【００３５】
このような表示によっても、自分撮り時にサブディスプレイ１１の液晶パネル等に表示される内容と同時に、サブディスプレイ１１の鏡機能による内容を同時に認識できるのであるから有利である。
【００３６】
＜変形例その１＞
以上の実施の態様では、サブディスプレイ１１に液晶パネルによって表示される内容と、サブディスプレイ１１の鏡機能によって映し出される映像とに関連性はなかった。
そこで、両者を関連させた変形例について記載する。
【００３７】
図５は変形例その１の場合におけるサブディスプレイ１１の表示についての一例である。
【００３８】
図６は図５の撮影時の状況を説明するための説明図である。
【００３９】
図６のように、自分撮り時にはマーク１３に鼻を合わせることによって、自分撮りの写真において顔が真ん中になるようにすることができる。
なお、図６には顔全体が記載されているが、実際には鏡処理されているのはサブディスプレイ１１部分だけであるから、その範囲外は映し出されない。映らない部分は点線によって表現しており、実線部分のみが実際には映し出される部分である。
マーク１３は液晶等による表示ができるサブディスプレイ１１に映されるものであるから、必要な時に表示させることができる。また、ユーザの設定によって自由に表示位置を変化させることができるので、ユーザごとの鼻と目との間隔に合わせて設定を変えることができる。
また、うつむき加減で撮りたい時には、鼻の位置は正面から撮りたい時とは異なる位置になるし、斜め正面から撮りたい時にも、鼻の位置は正面から撮りたい時とは異なる位置になる。そのような、撮影角度によってサブディスプレイ１１に表示する内容を変化させることが可能である。
さらに、顔を真ん中ではなく、他の位置で写真撮影したいとのニーズに合わせてマーク１３の表示位置を変えることも可能とする。
加えて、マーク１３の表示位置を変えるだけではなく、鼻以外の部分を合わせることによって、例えば斜め横からの撮影行うことも可能とする。具体的には、ユーザが斜め撮影モードを選択すると、マーク１３が鼻を合わせるためのマーク１３から耳を合わせるためのマーク１３に変更になり、ユーザは耳がマーク１３に重なり合うように携帯電話１の位置及び角度を調整して撮影する。
【００４０】
マーク１３の位置は、工場出荷時にあらかじめ設定しておき、ユーザの好みによって修正可能としておくことが望ましい。
なお、マーク１３の形状は必ずしも×印であるである必要はなく、様々な形状があり得る。鼻のマーク１３の時には鼻の形をかたどったものであってもよいし、豚の鼻をイメージしたマーク１３とすることも可能である。
＜変形例その２＞
ところで、自分撮りの場合にはサブディスプレイ１１の液晶パネル等によって撮影部１５によって撮影された自分の姿が表示されるとはいえ、液晶パネルは小さくかつ液晶パネルをみているとレンズ部１０とは異なる部分を見ていることになり目線がカメラに向かないことになる。
目線をカメラに向かせる為には、サブディスプレイ１１の液晶パネル等に表示された姿から目線を離さなければならない。そうすると、顔がカメラの中心に来ているか分からず一方によるなどして自分撮りに失敗することがあった。
そこで、以下の本発明の変形例その２が考えられる。
【００４１】
図７はカメラウインドウ９部分を拡大したものである。
【００４２】
カメラウインドウ９部分に蒸着処理を施し鏡機能をも有させたものである。なおこの時には、レンズ部１０の部分だけには蒸着処理を行わない方が、撮影部１５によって撮影される映像がより鮮明になる。
そして、自分撮りする時に鏡に映った目の位置をマーク１３に合わせると、撮影部１５によって撮影される写真の画面の中心に顔が映るようになるようにしてある。
【００４３】
図８は、図７の撮影時の状況を説明するための説明図である。
【００４４】
ユーザはカメラウインドウ９を見て映し出される目をマーク１３部分に合わせてシャッターを押すことができる。これによって、顔が中心に来る写真を作成することができる。
なお、マーク１３に合わせる部分を目としたが、必ずしも目に限定されるものではなく他のどのような部位であってもよい。
マーク１３の位置は、一般的な人物の眼の位置からあらかじめ定めて工場出荷時に記載しておくことができる。
もっとも、この時には、カメラウインドウ９は液晶パネル等のように表示内容を変化させることができるものではないので、変形例その１よりは自由度は低いものになってしまうが、確実に顔を画面の中心に配置することができ、かつ、目線をカメラの方に向かせることができるという利点がある。
【００４５】
変形例その１と変形例その２の両者の利点を併せて持たせる為に、カメラウインドウ１１にも液晶パネル等を配置して、表示部としての機能を有させることもできる。
【００４６】
以上の実施形態によれば、携帯電話機１は、第２筐体３と、撮影部１５と、撮影部１５のレンズ部１０の近傍に配設された表示部１４と、を有している。
そして、表示部１４は、該表示部１４の前面に光を反射する材料を蒸着により層状に形成した蒸着ミラーを有し、前記蒸着ミラーは、表示部の画面に表示される表示光の一部を透過可能に形成されている。
これによって、自分撮り時にユーザは鏡によって自らの状態を確認することができる。さらに、ユーザはサブディスプレイ１１の液晶パネル等に表示される情報を確認しつつ、蒸着ミラーの鏡機能によって自らの状況を確認することができる。
【００４７】
また、表示部１４の表示を制御する制御部１７を有し、制御部１７は、撮影時に表示部１４の画面に一定の表示を行うので、ユーザはサブディスプレイ１１の液晶パネル等に表示される情報を確認しつつ、鏡によって自らの状況を確認することができる。
【００４８】
また、所定の表示とは、蒸着ミラーに映った被写体の体の部位を示す表示であるので、ユーザは自分撮り時に顔を真ん中に撮影することができる。
【００４９】
また、被写体の体の部位とは、蒸着ミラーに映った被写体の目の位置を示す表示であるので、ユーザは自分撮り時に顔を真ん中に撮影することができる。
【００５０】
また、被写体の体の部位とは、蒸着ミラーに映った被写体の鼻の位置を示す表示であるので、ユーザは自分撮り時に顔を真ん中に撮影することができる。
【００５１】
所定の表示とは、撮影タイミングを示す表示であるので、自分撮り時のユーザを含む被撮影者が撮影のタイミング等を知ることができる。
【００５２】
なお、以上の実施形態において、携帯電話機１は本発明の携帯電子機器の一例である。
【００５３】
本発明は、以上の実施形態に限定されず、種々の態様で実施されてよい。
【００５４】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【図面の簡単な説明】
【００５５】
【図１】本発明の実施形態に係る携帯電話機の外観を開状態で示す斜視図である。
【図２】携帯電話機を開状態外部側方向からみた外観斜視図である。
【図３】図１及び図２の携帯電話機１信号処理系を示すブロック図である。
【図４】サブディスプレイに表示する内容の一例である。
【図５】変形例その１の場合のサブディスプレイ部分を拡大したものである。
【図６】図５の撮影時の状況を説明するための説明図である。
【図７】変形例その２の場合におけるカメラウインドウの表示についての一例である。
【図８】図７の撮影時の状況を説明するための説明図である。
【符号の説明】
【００５６】
１…携帯電話機、２…第１筐体、３…第２筐体、４…第１筐体フロントケース、５…第１筐体リアケース、６…第２筐体フロントケース、７…第２筐体リアケース、８…メインディスプレイ、９…カメラウインドウ、１０…レンズ部、１１…サブディスプレイ、１２…電池部保護パネル、１３…マーク、１４…表示部、１５…撮影部、１６…記憶部、１７…制御部、１８…システムバス、１９…操作部、２０…通信部、２１…電源制御部、２２…音声入出力部
【図１】
2010154370.tif 000003
【図２】
2010154370.tif 000004
【図３】
2010154370.tif 000005
【図４】
2010154370.tif 000006
【図５】
2010154370.tif 000007
【図６】
2010154370.tif 000008
【図７】
2010154370.tif 000009
【図８】
2010154370.tif 000010